(57)【要約】 シール部がより確実に剥離する構造の蒸気抜きスタンディングパウチ、およびこのパウチを用いて形成されている内容物封入スタンディングパウチを提供する。 蒸気抜きスタンディングパウチは、第１通蒸部（４２）を有する。第１通蒸部の先端部分の内縁（４２Ｂ）と最大膨張予定部分の中心である最大膨張中心（ＯＡ）との間の距離（Ｌ１）は、第１上方サイド部の内縁（４１Ｃ）と最大膨張中心（ＯＡ）との間の距離（Ｌ７）、および第１中間サイド部（４３）の内縁（４３Ａ）と最大膨張中心（ＯＡ）との間の距離（Ｌ３）のいずれよりも短い。
2013133092.tif 000002
【特許請求の範囲】
【請求項１】
袋本体部と底ガゼットとを有する蒸気抜きスタンディングパウチであって、前記蒸気抜きスタンディングパウチは幅方向と高さ方向とを有し、  前記袋本体部は、前記幅方向における端部でありシール加工が施されたサイドシール部と、前記高さ方向における上端部でありシール加工が施されていないシール予定部とを有し、  前記底ガゼットは、前記幅方向における端部および前記高さ方向における下端部でありシール加工が施されたガゼットシール部を有し、  前記サイドシール部は、上方サイド部、通蒸部、および中間サイド部を有し、前記袋本体部の上縁から前記上方サイド部、前記通蒸部、および前記中間サイド部の順に連続して形成され、  前記通蒸部は、前記袋本体部の幅方向において袋本体部の内方に向けて窪む窪み部分を有し、  前記通蒸部の前記窪み部分の内縁と前記袋本体部の最大膨張予定部分の中心である最大膨張中心との間の距離は、前記上方サイド部の内縁と前記最大膨張中心との間の距離、および前記中間サイド部の内縁と前記最大膨張中心との間の距離のいずれよりも短い  蒸気抜きスタンディングパウチ。
【請求項２】
前記窪み部分は、第１窪み部分および第２窪み部分を有し、  前記第１窪み部分は、前記上方サイド部に連続する上方部分、前記中間サイド部と連続する下方部分、および前記上方部分と前記下方部分とに連続する底部とを有し、  前記第２窪み部分は、前記第１窪み部分の底部に形成され、前記第１窪み部分の面積よりも小さい面積を有する  請求項１に記載の蒸気抜きスタンディングパウチ。
【請求項３】
前記第２窪み部分は前記窪み部分の前記袋本体部に対向する先端部である底部を有し、  前記第２窪み部分の底部の外縁は、前記蒸気抜きスタンディングパウチの高さ方向に延伸する直線形状を含む  請求項２に記載の蒸気抜きスタンディングパウチ。
【請求項４】
前記上方部分の外縁である上方外縁は、前記上方サイド部の外縁と連続して形成され、前記幅方向の内方に向かって前記高さ方向の下方に傾斜する直線形状を含み、  前記下方部分の外縁である下方外縁は、前記中間サイド部の外縁と連続して形成され、前記幅方向の内方に向かって前記高さ方向の上方に傾斜する直線形状を含み、  前記第２窪み部分は、第１外縁および第２外縁をさらに有し、  前記第１外縁は、前記上方外縁および前記第２窪み部分の底部の外縁と連続して形成され、前記幅方向に延伸する直線形状を含み、  前記第２外縁は、前記下方外縁および前記第２窪み部分の底部の外縁と連続して形成され、前記幅方向に延伸する直線形状を含む  請求項３に記載の蒸気抜きスタンディングパウチ。
【請求項５】
前記第２窪み部分の幅は、前記第１窪み部分の幅よりも小さい  請求項２〜４のいずれか一項に記載の蒸気抜きスタンディングパウチ。
【請求項６】
前記通蒸部は、前記窪み部分の前記袋本体部に対向する先端部である底部を有し、  前記底部の外縁は、前記蒸気抜きスタンディングパウチの高さ方向に延伸する直線形状を含む  請求項１に記載の蒸気抜きスタンディングパウチ。
【請求項７】
前記袋本体部は、前記高さ方向において前記シール予定部と前記通蒸部との間に切断予定部分を有し、  前記切断予定部分は、前記上方サイド部を通過して形成され、  前記上方サイド部は、前記高さ方向において前記切断予定部分よりも上方の部分である把持可能部の幅が前記切断予定部分よりも下方の部分である中間部の幅よりも大きい  請求項１〜６のいずれか一項に記載の蒸気抜きスタンディングパウチ。
【請求項８】
内容物封入スタンディングパウチであって、  前記シール予定部にシール加工が施された請求項１〜７のいずれか一項に記載の蒸気抜きスタンディングパウチと、前記蒸気抜きスタンディングパウチに封入された内容物とを有する  内容物封入スタンディングパウチ。
【発明の詳細な説明】
【技術分野】
【０００１】  本発明は、袋本体部と底ガゼットとを有する蒸気抜きスタンディングパウチ、および内容物封入スタンディングパウチに関する。
【背景技術】
【０００２】  特許文献１のパウチは、内部空間を形成するシール部、シール部の一部に形成されたＶ字状シール部と、Ｖ字状シール部の谷部に形成された三角形状の未シール面とを有する。このパウチにおいては、内部空間の圧力が上昇したとき、Ｖ字状シール部の頂点のシールが剥離することにより開口部が形成されている。そして、パウチの内部空間の蒸気が開口部を介して外部に排出される。
【先行技術文献】
【特許文献】
【０００３】
【特許文献１】実開平４−１００７９号公報
【発明の概要】
【発明が解決しようとする課題】
【０００４】  特許文献１は、内部空間の蒸気を適切に排出するためには、内部圧力の上昇にともないＶ字状シール部の頂点のシールを適切に剥離させるための構成を取り入れる必要があることを開示している。具体的には、特許文献１の第９頁において、「すなわち、袋内に蒸気が充満し、内圧が高まってもＶ字状シール部がエンドシール部（４）に近すぎるとＶ字状シール部に力が加わらずエンドシール長全体に力が分散し大きな圧力が加わっても開口せず突然爆発的に開口し、内容物が飛散する可能性がある。したがって、Ｖ字状シール部の頂点（Ａ）がエンドシール（４）より１０ｍｍ以上下部の位置（ｈ１）に設定される必要がある。」点を開示している。【０００５】  一方、本願発明者は、内部空間の圧力の上昇にともない剥離するシール部を有するパウチにおいて、このシール部をより確実に剥離させる観点から上記パウチの構造を検討したところ、シール部の構造に改善の余地が残されていることを確認した。【０００６】  本発明の目的は、シール部がより確実に剥離する構造の蒸気抜きスタンディングパウチ、およびこのパウチを用いて形成されている内容物封入スタンディングパウチを提供することにある。
【課題を解決するための手段】
【０００７】  （１）上記手段の一形態は、「袋本体部と底ガゼットとを有する蒸気抜きスタンディングパウチであって、前記蒸気抜きスタンディングパウチは幅方向と高さ方向とを有し、前記袋本体部は、前記幅方向における端部でありシール加工が施されたサイドシール部と、前記高さ方向における上端部でありシール加工が施されていないシール予定部とを有し、前記底ガゼットは、前記幅方向における端部および前記高さ方向における下端部でありシール加工が施されたガゼットシール部を有し、前記サイドシール部は、上方サイド部、通蒸部、および中間サイド部を有し、前記袋本体部の上縁から前記上方サイド部、前記通蒸部、および前記中間サイド部の順に連続して形成され、前記通蒸部は、前記袋本体部の幅方向において袋本体部の内方に向けて窪む窪み部分を有し、前記通蒸部の窪み部分の内縁と前記袋本体部の最大膨張予定部分の中心である最大膨張中心との間の距離は、前記上方サイド部の内縁と前記最大膨張中心との間の距離、および前記中間サイド部の内縁と前記最大膨張中心との間の距離のいずれよりも短い蒸気抜きスタンディングパウチ」を含む。【０００８】  本願発明者は、通蒸部の窪み部分の内縁と最大膨張予定部分の中心（最大膨張中心）との間の距離を、上方サイド部の内縁と最大膨張中心との間の距離、および中間サイド部の内縁と最大膨張中心との間の距離よりも短くすることにより、これらの関係が成立しない場合と比較して、内部空間の圧力上昇にともない通蒸部が確実に剥離する頻度が高くなることを実験により確認した。なお、この実験は、シール予定部にシール加工を施すことにより内部空間を密閉した蒸気抜きスタンディングパウチを用いて実施している。【０００９】  そして、上記発明の蒸気抜きスタンディングパウチにおいては、窪み部分の内縁と最大膨張中心との間の距離が、上方サイド部の内縁と最大膨張中心との間の距離、および中間サイド部の内縁と最大膨張中心との間の距離よりも短いため、通蒸部がより確実に剥離する。なお本願発明者は、通蒸部が確実に剥離する頻度が高くなる理由を以下のように推測している。【００１０】  蒸気抜きスタンディングパウチにおいては、内部空間の圧力が上昇することにともない袋本体部が最大膨張中心から放射状に膨張する。このとき、袋本体部は、半球状に類似する立体形状を形成する。また袋本体部の膨張量は、最大膨張中心において最も大きくなり、内部空間を取り囲む各シール部に向かうにつれて次第に小さくなる。このことは、内部空間の圧力の上昇により袋本体部に作用する力、すなわち互いに対向して袋本体部の内部空間を形成するシートを離間させる方向に作用する力が最大膨張中心に近い部分ほど大きいことを示唆している。【００１１】  以上のことから、本願発明の蒸気抜きスタンディングパウチ、すなわち窪み部分の内縁と最大膨張中心との間の距離が上方サイド部の内縁および中間サイド部の内縁と最大膨張中心との間の距離よりも短いパウチにおいては、通蒸部が確実に剥離する頻度が高いという結果が得られたものと考えられる。【００１２】  （２）上記手段の一形態は、「前記窪み部分は、第１窪み部分および第２窪み部分を有し、前記第１窪み部分は、前記上方サイド部に連続する上方部分、前記中間サイド部と連続する下方部分、および前記上方部分と前記下方部分とに連続する底部とを有し、前記第２窪み部分は、前記第１窪み部分の底部に形成され、前記第１窪み部分の面積よりも小さい面積を有する蒸気抜きスタンディングパウチ」を含む。【００１３】  （３）上記手段の一形態は、「前記第２窪み部分は前記窪み部分の前記袋本体部に対向する先端部である底部を有し、前記第２窪み部分の底部の外縁は、前記蒸気抜きスタンディングパウチの高さ方向に延伸する直線形状を含む蒸気抜きスタンディングパウチ」を含む。【００１４】  （４）上記手段の一形態は、「前記上方部分の外縁である上方外縁は、前記上方サイド部の外縁と連続して形成され、前記幅方向の内方に向かって前記高さ方向の下方に傾斜する直線形状を含み、前記下方部分の外縁である下方外縁は、前記中間サイド部の外縁と連続して形成され、前記幅方向の内方に向かって前記高さ方向の上方に傾斜する直線形状を含み、前記第２窪み部分は、第１外縁および第２外縁をさらに有し、前記第１外縁は、前記上方外縁および前記第２窪み部分の底部の外縁と連続して形成され、前記幅方向に延伸する直線形状を含み、前記第２外縁は、前記下方外縁および前記第２窪み部分の底部の外縁と連続して形成され、前記幅方向に延伸する直線形状を含む蒸気抜きスタンディングパウチ」を含む。【００１５】  （５）上記手段の一形態は、「前記第２窪み部分の幅は、前記第１窪み部分の幅よりも小さい蒸気抜きスタンディングパウチ」を含む。【００１６】  （６）上記手段の一形態は、「前記通蒸部は、前記窪み部分の前記袋本体部に対向する先端部である底部を有し、前記底部の外縁は、前記蒸気抜きスタンディングパウチの高さ方向に延伸する直線形状を含む蒸気抜きスタンディングパウチ」を含む。【００１７】  （７）上手段の一形態は、「前記袋本体部は、前記高さ方向において前記シール予定部と前記通蒸部との間に切断予定部分を有し、前記切断予定部分は、前記上方サイド部を通過して形成され、前記上方サイド部は、前記高さ方向において前記切断予定部分よりも上方の部分である把持可能部の幅が前記切断予定部分よりも下方の部分である中間部の幅よりも大きい蒸気抜きスタンディングパウチ」を含む。【００１８】  （８）上記手段の一形態は、「内容物封入スタンディングパウチであって、前記シール予定部にシール加工が施された上記のいずれかに記載の蒸気抜きスタンディングパウチと、前記蒸気抜きスタンディングパウチに封入された内容物とを有する内容物封入スタンディングパウチ」を含む。
【発明の効果】
【００１９】  本蒸気抜きスタンディングパウチおよび本内容物封入パウチは、シール部がより確実に剥離することに貢献する。
【図面の簡単な説明】
【００２０】
【図１】第１実施形態のパウチの正面図。
【図２】図１のパウチに内容物が封入された内容物封入パウチの図。
【図３】図２の内容物封入パウチに関する図であり、内部空間と外部とが連通状態となったときの内容物封入パウチの斜視図。
【図４】図２の内容物封入パウチの製造工程に関する図であり、（ａ）は開口部が開封された状態のパウチの正面図、（ｂ）は開口部に充填機のノズルが挿入された状態のパウチの正面図、（ｃ）は内部空間に内容物が収容された状態のパウチの正面図。
【図５】図２の内容物封入パウチの製造工程に関する図であり、（ａ）は開口部にシール加工が施される前のパウチの正面図、（ｂ）は開口部にシール加工が施されている最中のパウチの正面図、（ｃ）は開口部にシール加工が施された後のパウチの正面図。
【図６】第２実施形態のパウチの正面図。
【図７】図６のパウチに関する図であり、通蒸部の拡大図。
【図８】内部空間と外部とが連通状態となったときの図７の通蒸部の拡大図。
【図９】開口が閉じられた状態を示す図７の通蒸部の拡大図。
【発明を実施するための形態】
【００２１】  （第１実施形態）  図１を参照して、蒸気抜きパウチ１０の構成について説明する。なお、図１〜図５に示されるドットは、蒸気抜きパウチ１０においてシール加工が施された部分であるサイドシール部３０およびガゼットシール部６３を示している。
【００２２】  蒸気抜きパウチ１０は、幅方向ＨＸおよび高さ方向ＨＹを有する。
【００２３】  幅方向ＨＸは、蒸気抜きパウチ１０の正面視において、外側および内側を規定する方向を示している。幅方向ＨＸは、高さ方向ＨＹと直交している。幅方向ＨＸは、内方向ＨＸ１および外方向ＨＸ２を有する。
【００２４】  内方向ＨＸ１は、幅方向ＨＸにおいて、外側から内側に向かう方向、すなわち、第１側方縁１５または第２側方縁１６から内部空間１９に向かう方向を示している。
【００２５】  外方向ＨＸ２は、幅方向ＨＸにおいて、内側から外側に向かう方向、すなわち、内部空間１９から第１側方縁１５または第２側方縁１６に向かう方向を示している。
【００２６】  高さ方向ＨＹは、蒸気抜きパウチ１０の正面視において、上側および下側を規定する方向を示している。高さ方向ＨＹは、幅方向ＨＸと直交している。高さ方向ＨＹは、上方向ＨＹ１および下方向ＨＹ２を有する。
【００２７】  上方向ＨＹ１は、高さ方向ＨＹにおいて、下側から上側に向かう方向、すなわち、下縁１８から上縁１７に向かう方向を示している。
【００２８】  下方向ＨＹ２は、高さ方向ＨＹにおいて、上側から下側に向かう方向、すなわち、上縁１７から下縁１８に向かう方向を示している。
【００２９】  蒸気抜きパウチ１０は、スタンディングパウチとしての形態を有する。蒸気抜きパウチ１０は、開口部２７が形成された部分を除く縁の全部がシール加工されている。
【００３０】  蒸気抜きパウチ１０は、袋本体部２０および底ガゼット６０を有する。
【００３１】  蒸気抜きパウチ１０は、積層シートにより形成されている。積層シートは、最外層、中間層、および最内層を有する。最外層は、蒸気抜きパウチ１０における最も外側の層であり、ポリエチレンテレフタレート層により構成されている。最内層は、蒸気抜きパウチ１０における最も内側の層であり、無延伸ポリプロピレン層により構成されている。中間層は、印刷層、第１接着層、延伸ナイロン層、および第２接着層により構成されている。印刷層は、最外層の内側に形成されている。第１接着層は、印刷層の内側に形成されている。延伸ナイロン層は、第１接着層の内側に形成されている。第２接着層は、延伸ナイロン層の内側に形成されている。最内層は、第２接着層の内側に形成されている。印刷層は、外面に絵柄および商品の説明等を有する。
【００３２】  蒸気抜きパウチ１０は、第１頂点１１、第２頂点１２、第３頂点１３、第４頂点１４、第１側方縁１５、第２側方縁１６、上縁１７、下縁１８、および内部空間１９を有する。
【００３３】  第１側方縁１５は、蒸気抜きパウチ１０における第１頂点１１から第３頂点１３までの縁を形成している。第２側方縁１６は、蒸気抜きパウチ１０における第２頂点１２から第４頂点１４までの縁を形成している。上縁１７は、蒸気抜きパウチ１０において第１頂点１１から第２頂点１２までの縁を形成している。下縁１８は、蒸気抜きパウチ１０において第３頂点１３から第４頂点１４までの縁を形成している。
【００３４】  第１側方縁１５および上縁１７は、第１頂点１１において互いに連続している。第１側方縁１５および下縁１８は、第３頂点１３において互いに連続している。第２側方縁１６および上縁１７は、第２頂点１２において互いに連続している。第２側方縁１６および下縁１８は、第４頂点１４において互いに連続している。
【００３５】  袋本体部２０は、第１袋部分２１、第２袋部分２２、第１側方部２３、第２側方部２４、上方部２５、切断予定部分２８およびサイドシール部３０を有する。
【００３６】  第１袋部分２１は、切断予定部分２８を介して第２袋部分２２と連続して形成されている。第１袋部分２１は底ガゼット６０と連続して形成されている。境界線ＸＢは、第１袋部分２１と底ガゼット６０との境界を示している。
【００３７】  第２袋部分２２は、シール予定部２６および開口部２７を有する。
【００３８】  シール予定部２６は、上縁１７を含んで形成されている。シール予定部２６は、開口部２７を介して内容物が内部空間１９に入れられたあと、シール予定ライン２６Ａに沿ってシールされる。
【００３９】  第１側方部２３は、第１側方縁１５のうち、袋本体部２０に対応する部分である。
【００４０】  第２側方部２４は、第２側方縁１６のうち、袋本体部２０に対応する部分である。
【００４１】  上方部２５は、上縁１７を含んで形成されている。
【００４２】  切断予定部分２８は、ノッチ２８Ａおよびガイド線２８Ｂを有する。ノッチ２８Ａは、第１袋部分２１と第２袋部分２２との境界に形成されている。ノッチ２８Ａは、ガイド線２８Ｂに沿って第２袋部分２２を第１袋部分２１から分離するときの始点としての機能を有する。ガイド線２８Ｂは、第１側方縁１５および第２側方縁１６に形成されたノッチ２８Ａを結ぶ直線形状を有する。ガイド線２８Ｂは、袋本体部２０を構成するフィルムに対してレーザーによるハーフカット加工が施されることにより形成されている。
【００４３】  サイドシール部３０は、第１サイドシール部４０および第２サイドシール部５０を有する。サイドシール部３０は、熱溶着により形成されている。
【００４４】  第１サイドシール部４０は、第１側方部２３をシールする。第１サイドシール部４０は、第１上方サイド部４１、第１通蒸部４２および第１中間サイド部４３を有する。
【００４５】  第１上方サイド部４１は、第１頂点１１の周辺をシールする。第１上方サイド部４１は、第１把持可能部４１Ａおよび第１中間部４１Ｂを有する。
【００４６】  第１把持可能部４１Ａは、切断予定部分２８よりも上方向ＨＹ１に位置している。第１把持可能部４１Ａの幅であるシール幅は、第１中間部４１Ｂの幅であるシール幅よりも大きい。第１中間部４１Ｂは、切断予定部分２８よりも下方向ＨＹ２に位置している。第１中間部４１Ｂは、第１通蒸部４２と連続して形成されている。
【００４７】  第１通蒸部４２は、内部空間１９で発生した蒸気を内部空間１９から外部へと排出するよう機能する。第１通蒸部４２は、第１中間サイド部４３と連続して形成されている。第１通蒸部４２は、他のシール部と同一のシール強度を有する。第１通蒸部４２は、左窪み部分４２Ａを有する。左窪み部分４２Ａは、袋本体部２０の内方向ＨＸ１に向けて窪む形状を有する。
【００４８】  第１中間サイド部４３は、第１通蒸部４２と境界線ＸＢとの間に形成されている。
【００４９】  第２サイドシール部５０は、第２側方部２４をシールする。第２サイドシール部５０は、第２上方サイド部５１、第２通蒸部５２および第２中間サイド部５３を有する。
【００５０】  第２上方サイド部５１は、第２頂点１２の周辺をシールする。第２上方サイド部５１は、第２把持可能部５１Ａおよび第２中間部５１Ｂを有する。
【００５１】  第２把持可能部５１Ａは、切断予定部分２８よりも上方向ＨＹ１に位置している。第２把持可能部５１Ａの幅であるシール幅は、第２中間部５１Ｂの幅であるシール幅よりも大きい。第２中間部５１Ｂは、切断予定部分２８よりも下方向ＨＹ２に位置している。第２中間部５１Ｂは、第２通蒸部５２と連続して形成されている。
【００５２】  第２通蒸部５２は、内部空間１９で発生した蒸気を内部空間１９から外部へと排出するよう機能する。第２通蒸部５２は、第２中間サイド部５３と連続して形成されている。第２通蒸部５２は、他のシール部と同一のシール強度を有する。第２通蒸部５２は、右窪み部分５２Ａを有する。右窪み部分５２Ａは、袋本体部２０の内方向ＨＸ１に向けて窪む形状を有する。
【００５３】  第２中間サイド部５３は、第２通蒸部５２と境界線ＸＢとの間に形成されている。
【００５４】  底ガゼット６０は、袋本体部２０を支持する。底ガゼット６０は、ガゼット側方部６１、ガゼット下方部６２およびガゼットシール部６３を有する。
【００５５】  ガゼット側方部６１は、第１側方縁１５および第２側方縁１６のうち、境界線ＸＢよりも下方向ＨＹ２の部分を含んで形成されている。ガゼット下方部６２は、下縁１８を含んで形成されている。
【００５６】  ガゼットシール部６３は、ガゼット側方部６１およびガゼット下方部６２をシールする。ガゼットシール部６３は、熱溶着により形成されている。
【００５７】  ここで、蒸気抜きパウチ１０について以下のように定義する。
【００５８】  シール予定ライン２６Ａの中点を上方中点ＹＡ１とする。
【００５９】  上方中点ＹＡ１から下方向ＨＹ２に下ろした垂線とガゼットシール部６３との交点を下方中点ＹＡ２とする。
【００６０】  図１において、上方中点ＹＡ１と下方中点ＹＡ２とを結ぶ線分を第１中心線ＹＡとする。
【００６１】  第１中心線ＹＡの中点を最大膨張中心ＯＡとする。最大膨張中心ＯＡは、最大膨張予定部分７０の中心に位置している。最大膨張予定部分７０は、内部空間１９の圧力が上昇したときに、袋本体部２０および底ガゼット６０の膨張量が最も大きい部分を示している。
【００６２】  最大膨張中心ＯＡを通過し、シール予定ライン２６Ａと平行な直線を第２中心線ＸＡとする。
【００６３】  第２中心線ＸＡと第１中間サイド部４３の内縁４３Ａとの交点を第１内縁中点ＸＡ１とする。
【００６４】  第２中心線ＸＡと第２中間サイド部５３の内縁５３Ａとの交点を第２内縁中点ＸＡ２とする。
【００６５】  最大膨張中心ＯＡと左窪み部分４２Ａの先端部分の内縁４２Ｂとの間の距離を第１距離Ｌ１とする。
【００６６】  最大膨張中心ＯＡと右窪み部分５２Ａの先端部分の内縁５２Ｂとの間の距離を第２距離Ｌ２とする。
【００６７】  最大膨張中心ＯＡと第１内縁中点ＸＡ１との間の距離を第３距離Ｌ３とする。
【００６８】  最大膨張中心ＯＡと第２内縁中点ＸＡ２との間の距離を第４距離Ｌ４とする。
【００６９】  最大膨張中心ＯＡと上方中点ＹＡ１との間の距離を第５距離Ｌ５とする。
【００７０】  最大膨張中心ＯＡと下方中点ＹＡ２との間の距離を第６距離Ｌ６とする。
【００７１】  最大膨張中心ＯＡと第１上方サイド部４１の内縁４１Ｃとの間の距離を第７距離Ｌ７とする。
【００７２】  最大膨張中心ＯＡと第２上方サイド部５１の内縁５１Ｃとの間の距離を第８距離Ｌ８とする。
【００７３】  第１距離Ｌ１〜第８距離Ｌ８はそれぞれ以下の関係を有する。
【００７４】  第１距離Ｌ１と第２距離Ｌ２は等しい（Ｌ１＝Ｌ２）。第１距離Ｌ１および第２距離Ｌ２は各々、第３距離Ｌ３および第４距離Ｌ４のいずれよりも短い（Ｌ１＜Ｌ３，Ｌ４；Ｌ２＜Ｌ３，Ｌ４）。第１距離Ｌ１および第２距離Ｌ２は各々、第７距離Ｌ７および第８距離Ｌ８のいずれよりも短い（Ｌ１＜Ｌ７，Ｌ８；Ｌ２＜Ｌ７，Ｌ８）。
【００７５】  第３距離Ｌ３と第４距離Ｌ４は等しい（Ｌ３＝Ｌ４）。第３距離Ｌ３および第４距離Ｌ４は、第７距離Ｌ７および第８距離Ｌ８のいずれよりも短い（Ｌ３＜Ｌ７，Ｌ８；Ｌ４＜Ｌ７，Ｌ８）。
【００７６】  第５距離Ｌ５と第６距離Ｌ６は等しい（Ｌ５＝Ｌ６）。
【００７７】  第７距離Ｌ７と第８距離Ｌ８は等しい（Ｌ７＝Ｌ８）。
【００７８】  図２を参照して、内容物封入パウチ１の構造について説明する。
【００７９】  内容物封入パウチ１は、蒸気抜きパウチ１０および内容物８０を有する。蒸気抜きパウチ１０では、内部空間１９に内容物８０が収容された状態で開口部２７のシール予定部２６がシールされている。内容物８０は、液体調味料である。
【００８０】  図３を参照して、第９距離Ｌ９について説明する。
【００８１】  上方中点ＹＡ１から下方向ＨＹ２に下ろした垂線と底ガゼット６０との交点を下方中点ＹＡ３とする。
【００８２】  上方中点ＹＡ１と下方中点ＹＡ３とを結ぶ線分を第３中心線ＹＣとする。
【００８３】  中点ＯＢと下方中点ＹＡ２との間の距離を第９距離Ｌ９とする。
【００８４】  第９距離Ｌ９は、図１に示される第１距離Ｌ１および第２距離Ｌ２のいずれよりも長い（Ｌ９＞Ｌ１，Ｌ２）。
【００８５】  なお、中点ＯＢと左窪み部分４２Ａの先端部分の内縁４２Ｂとの間の距離は、中点ＯＢと第１内縁中点ＸＡ１との間の距離よりも短い。中点ＯＢと左窪み部分４２Ａの先端部分の内縁４２Ｂとの間の距離は、中点ＯＢと第１上方サイド部４１の内縁４１Ｃとの間の距離よりも短い。
【００８６】  また、中点ＯＢと右窪み部分５２Ａの先端部分の内縁５２Ｂとの間の距離は、中点ＯＢと第２内縁中点ＸＡ２との間の距離よりも短い。中点ＯＢと右窪み部分５２Ａの先端部分の内縁５２Ｂとの間の距離は、中点ＯＢと第２上方サイド部５１の内縁５１Ｃとの間の距離よりも短い。
【００８７】  内容物封入パウチ１の作用について説明する。
【００８８】  内容物封入パウチ１を電子レンジで加熱することにより、内部空間１９に蒸気が発生する。このため、内部空間１９の圧力が上昇する。内部空間１９の圧力が上昇することにともない、袋本体部２０および底ガゼット６０が最大膨張中心ＯＡから放射状に膨張する。このとき、袋本体部２０は、半球状に類似する立体形状を形成する。袋本体部２０および底ガゼット６０の膨張量は、最大膨張中心ＯＡにおいて最も大きくなり、内部空間１９を取り囲む各シール部に向かうにつれて次第に小さくなる。
【００８９】  内部空間１９の圧力の上昇により袋本体部２０および底ガゼット６０に作用する力、すなわち、互いに対向して内部空間１９を形成するシートを離間させる方向に作用する力は、最大膨張中心ＯＡに近い部分ほど大きいと考えられる。
【００９０】  このため、第１サイドシール部４０のうち、第１通蒸部４２が最も先に剥離する。このとき、内容物封入パウチ１に第１開口４２Ｃが形成される。一方、第２サイドシール部５０のうち、第２通蒸部５２が最も先に剥離する。このとき、内容物封入パウチ１に第２開口５２Ｃが形成される。内部空間１９で発生した蒸気は、第１開口４２Ｃおよび第２開口５２Ｃを介して外部へと排出される。このため、内部空間１９の内圧の上昇が穏やかになり、やがて内部空間１９の内圧の上昇は停止する。
【００９１】  内容物封入パウチ１の加熱の終了後、使用者は、第１把持可能部４１Ａおよび第２把持可能部５１Ａを把持して内容物封入パウチ１を電子レンジから取り出す。
【００９２】  使用者は、ノッチ２８Ａを始点として、ガイド線２８Ｂに沿って第２袋部分２２を第１袋部分２１から切り離し、内容物８０を内部空間１９から取り出す。
【００９３】  図４および図５を参照して、内容物封入パウチ１の製造工程について説明する。
【００９４】  内容物封入パウチ１の製造工程は、第１工程、第２工程（図４（ａ））、第３工程（図４（ｂ））、第４工程（図４（ｃ））、第５工程（図５（ａ））、第６工程（図５（ｂ））、および第７工程（図５（ｃ））を含む。
【００９５】  第１工程においては、蒸気抜きパウチ１０が製造される。
【００９６】  第２工程においては、蒸気抜きパウチ１０の第１把持可能部４１Ａおよび第２把持可能部５１Ａがそれぞれ充填機１００のチャック１１０によりチャッキングされる。
【００９７】  蒸気抜きパウチ１０は、図４（ａ）に示される状態で、内容物８０の充填ラインに搬送される。所定の充填ライン位置において、開口部２７は吸盤（図示略）により開封される。
【００９８】  第３工程においては、図４（ｂ）に示されるように、開口部２７にノズル１２０が挿入される。ノズル１２０は、内部空間１９に内容物８０を充填する。
【００９９】  第４工程においては、図４（ｃ）に示されるように、内部空間１９に所定量の内容物８０が充填されることにより充填が終了する。内部空間１９への内容物８０の充填が終了した後、ノズル１２０は開口部２７から抜かれる。
【０１００】  第５工程においては、図５（ａ）に示されるように、蒸気抜きパウチ１０の第１把持可能部４１Ａおよび第２把持可能部５１Ａがそれぞれ充填機１００のチャック１１０によりチャッキングされたまま蒸気抜きパウチ１０がシール加工ラインに搬送される。
【０１０１】  第６工程においては、図５（ｂ）に示されるように、所定のシール加工ライン位置において、シール装置５００は、シール予定部２６を挟む。これにより、シール予定部２６にシール加工が施される。
【０１０２】  第７工程においては、シール加工の終了後、図５（ｃ）に示されるように、シール装置５００は、シール予定部２６の挟み込み状態を解除する。
【０１０３】  第１実施形態の蒸気抜きパウチ１０は、以下の効果を奏する。
【０１０４】  （１）左窪み部分４２Ａの先端部分の内縁４２Ｂと最大膨張中心ＯＡとの間の距離である第１距離Ｌ１は、第１上方サイド部４１の内縁４１Ｃと最大膨張中心ＯＡとの間の距離である第７距離Ｌ７よりも短い。また、第１距離Ｌ１は、第１中間サイド部４３の内縁４３Ａと最大膨張中心ＯＡとの間の距離である第３距離Ｌ３よりも短い。この構成によれば、これらの関係が成立しない場合と比較して、内部空間１９の圧力の上昇にともない第１通蒸部４２が確実に剥離する頻度が高くなる。
【０１０５】  （２）右窪み部分５２Ａの先端部分の内縁５２Ｂと最大膨張中心ＯＡとの間の距離である第２距離Ｌ２は、第２上方サイド部５１の内縁５１Ｃと最大膨張中心ＯＡとの間の距離である第８距離Ｌ８よりも短い。また、第２距離Ｌ２は、第２中間サイド部５３の内縁５３Ａと最大膨張中心ＯＡとの間の距離である第４距離Ｌ４よりも短い。この構成によれば、これらの関係が成立しない場合と比較して、内部空間１９の圧力の上昇にともない通第２通蒸部５２が確実に剥離する頻度が高くなる。
【０１０６】  （３）第１サイドシール部４０は、第１把持可能部４１Ａを有する。第２サイドシール部５０は、第２把持可能部５１Ａを有する。この構成によれば、内容物封入パウチ１の製造工程において、袋本体部２０を充填機１００のチャック１１０によって把持しやすくなる。すなわち、第１通蒸部４２および第２通蒸部５２を有する蒸気抜きパウチ１０であっても、従来の充填機１００の構造を変更することなく、内部空間１９に内容物８０を充填できる。
【０１０７】  （第２実施形態）  図６等に示される第２実施形態の蒸気抜きパウチ２００は、図１等に示される第１実施形態の蒸気抜きパウチ１０に対し、主として、次の点で相違する。すなわち、第１実施形態の蒸気抜きパウチ１０は、第１通蒸部４２および第２通蒸部５２を有する。一方、本実施形態の蒸気抜きパウチ２００は、通蒸部３００を有する。以下では、第１実施形態の蒸気抜きパウチ１０と異なる点の詳細を説明する。なお、図６〜図９に示されるドットは、蒸気抜きパウチ２００においてシール加工が施された部分であるサイドシール部３０およびガゼットシール部６３を示している。
【０１０８】  図６を参照して、蒸気抜きパウチ２００の構成について説明する。
【０１０９】  蒸気抜きパウチ２００は、スタンディングパウチとしての形態を有する。蒸気抜きパウチ２００は、通蒸部３００を有する。
【０１１０】  図７を参照して、通蒸部３００の詳細な構成について説明する。
【０１１１】  通蒸部３００は、内部空間１９で発生した蒸気を内部空間１９から外部へと排出するよう機能する。通蒸部３００は、窪み部分４００を有する。窪み部分４００は、内方向ＨＸ１に向けて窪む形状を有する。窪み部分４００は、第１窪み部分４１０および第２窪み部分４２０を有する。
【０１１２】  第１窪み部分４１０は、上方部分４１１、下方部分４１２、および底部４１３を有する。上方部分４１１は、第２中間部５１Ｂと連続して形成されている。上方部分４１１は、上方外縁４１１Ａを有する。
【０１１３】  上方外縁４１１Ａは、第２中間部５１Ｂの外縁と連続して形成されている。上方外縁４１１Ａは、内方向ＨＸ１に向かって下方向ＨＹ２に傾斜している。上方外縁４１１Ａは、直線形状を有する。上方外縁４１１Ａは、第１シール幅ＲＡを有する。第１シール幅ＲＡは、上方外縁４１１Ａと上方外縁４１１Ａに対向する内縁５２Ｂとの間の幅である。
【０１１４】  下方部分４１２は、第２中間サイド部５３と連続して形成されている。下方部分４１２は、下方外縁４１２Ａを有する。
【０１１５】  下方外縁４１２Ａは、第２中間サイド部５３の外縁と連続して形成されている。下方外縁４１２Ａは、内方向ＨＸ１に向かって上方向ＨＹ１に傾斜している。下方外縁４１２Ａは、直線形状を有する。下方外縁４１２Ａは、第２シール幅ＲＢを有する。第２シール幅ＲＢは、下方外縁４１２Ａと下方外縁４１２Ａに対向する内縁５２Ｂとの間の幅である。
【０１１６】  底部４１３は、上方部分４１１および下方部分４１２と連続して形成されている。
【０１１７】  第２窪み部分４２０は、第１窪み部分４１０の底部４１３と連続して形成されている。第２窪み部分４２０は、第１窪み部分４１０の面積よりも小さな面積を有する。第２窪み部分４２０は、底部４２１を有する。
【０１１８】  底部４２１は、上方外縁４１１Ａおよび下方外縁４１２Ａの内方向ＨＸ１側の端部を含む部分である。底部４２１は、第１外縁４２１Ａ、第２外縁４２１Ｂ、および底部外縁４２１Ｃを有する。
【０１１９】  第１外縁４２１Ａは、上方外縁４１１Ａおよび底部外縁４２１Ｃと連続して形成されている。第１外縁４２１Ａは、幅方向ＨＸに延伸する形状を有する。第１外縁４２１Ａは直線形状を有する。
【０１２０】  第２外縁４２１Ｂは、下方外縁４１２Ａおよび底部外縁４２１Ｃと連続して形成されている。第２外縁４２１Ｂは、幅方向ＨＸに延伸する形状を有する。第２外縁４２１Ｂは、直線形状を有する。
【０１２１】  底部外縁４２１Ｃは、第１外縁４２１Ａおよび第２外縁４２１Ｂと連続して形成されている。底部外縁４２１Ｃは、高さ方向ＨＹに延伸する形状を有する。底部外縁４２１Ｃは直線形状を有する。
【０１２２】  底部外縁４２１Ｃは、第３シール幅ＲＣを有する。
【０１２３】  第３シール幅ＲＣは、底部外縁４２１Ｃと底部外縁４２１Ｃに対向する内縁５２Ｂとの間の幅である。第３シール幅ＲＣは、第１シール幅ＲＡおよび第２シール幅ＲＢのいずれよりも小さい。
【０１２４】  図８および図９を参照して、蒸気抜きパウチ２００の作用について説明する。
【０１２５】  第１実施形態に示された工程と同様の工程を経て、蒸気抜きパウチ２００を用いて内容物封入パウチ２が製造される。
【０１２６】  内容物封入パウチ２を電子レンジで加熱することにより、内部空間１９に蒸気が発生する。このため、内部空間１９の圧力が上昇する。
【０１２７】  第１実施形態に示される内容物封入パウチ１と同様の原理により、第２サイドシール部５０のうち、通蒸部３００が最も先に剥離する。具体的には、図８に示されるように、第２窪み部分４２０に対応する部分のシールが剥離する。このため、通蒸部３００に、開口４３０が形成される。内部空間１９で発生した蒸気は、開口４３０を介して外部へと排出される。このため、内部空間１９の内圧の上昇が穏やかになり、やがて内部空間１９の内圧の上昇は停止する。
【０１２８】  図９に示されるように、内部空間１９で発生した蒸気が開口４３０を介して外部へと排出された後、第２窪み部分４２０の剥離したシール部は、付着した水滴の表面張力により密着する。このため、開口４３０は、閉塞される。
【０１２９】  本実施形態の蒸気抜きパウチ２００は、上記（１）〜（３）の効果に加えて、以下の効果を奏する。
【０１３０】  （４）蒸気抜きパウチ２００は、通蒸部３００を有する。通蒸部３００は、第２窪み部分４２０を有する。第２窪み部分４２０は、底部外縁４２１Ｃを有する。底部外縁４２１Ｃは、高さ方向ＨＹに延伸する直線形状を有する。
【０１３１】  このため、蒸気抜きパウチ２００は、内部空間１９で発生した蒸気が開口４３０を介して外部へと排出された後、第２窪み部分４２０の剥離したシール部が水滴の表面張力により密着しやすくなる。このため、蒸気抜きパウチ２００では、内部空間１９で発生した蒸気が開口４３０を介して外部へと排出された後、開口４３０が閉塞されやすい。このため、蒸気抜きパウチ２００では、内容物封入パウチ２を電子レンジで加熱した後、使用者により持ち運ばれるときに、内容物が開口４３０を介して内部空間１９から外部へと漏れ出しにくい。
【０１３２】  なお、通蒸部３００の形状として、第２窪み部分４２０の先端部分の内縁５２Ｂに対向する位置に高さ方向ＨＹに延伸する直線形状の外縁が形成されているとき、開口４３０が適切に閉塞される頻度が高まることが実験により確認された。
【０１３３】  （その他の実施形態）  本蒸気抜きスタンディングパウチおよび内容物封入パウチは、第１実施形態および第２実施形態以外の実施形態を含む。以下、蒸気抜きスタンディングパウチおよび内容物封入パウチのその他の実施形態としての第１実施形態および第２実施形態の変形例を示す。なお、以下の各変形例は、技術的に矛盾しない範囲において互いに組み合わせることができる。
【０１３４】  ・第１実施形態の袋本体部２０は、第１通蒸部４２および第２通蒸部５２を有する。一方、変形例の袋本体部は、第１通蒸部４２および第２通蒸部５２のいずれか一方を有する。
【０１３５】  ・第１実施形態の第１通蒸部４２および第２通蒸部５２は、他のシール部と同一のシール強度を有する。一方、変形例の第１通蒸部４２および第２通蒸部５２は、他のシール部よりも弱いシール強度を有する。
【０１３６】  ・第１実施形態の第１距離Ｌ１および第２距離Ｌ２と第５距離Ｌ５および第６距離Ｌ６との大小関係は、任意の関係に設計できる。なお、第１距離Ｌ１および第２距離Ｌ２は各々、第５距離Ｌ５および第６距離Ｌ６よりも短いことが好ましい（Ｌ１＜Ｌ５，Ｌ６；Ｌ２＜Ｌ５，Ｌ６）。
【０１３７】  ・第１実施形態の第３距離Ｌ３および第４距離Ｌ４と第５距離Ｌ５および第６距離Ｌ６との大小関係は、任意の関係に設定できる。なお、第３距離Ｌ３および第４距離Ｌ４は各々、第５距離Ｌ５および第６距離Ｌ６よりも短いことが好ましい（Ｌ３＜Ｌ５，Ｌ６；Ｌ４＜Ｌ５，Ｌ６）。
【０１３８】  ・第２実施形態の袋本体部２０は、第２サイドシール部５０に通蒸部３００を有する。一方、変形例の袋本体部は、第１サイドシール部４０において、通蒸部３００と対向する位置に通蒸部３００と同様の構成の通蒸部をさらに有する。
【０１３９】  ・第２実施形態の通蒸部３００は、第１窪み部分４１０を有する。第１窪み部分４１０は、上方外縁４１１Ａおよび下方外縁４１２Ａを有する。上方外縁４１１Ａは、内方向ＨＸ１に向かって下方向ＨＹ２に傾斜している。下方外縁４１２Ａは、内方向ＨＸ１に向かって上方向ＨＹ１に傾斜している。一方、変形例の上方外縁および下方外縁は、幅方向ＨＸに延伸する直線形状を有する。
【０１４０】  ・第２実施形態の通蒸部３００は、第１窪み部分４１０および第２窪み部分４２０を有する。一方、変形例の通蒸部は、第２窪み部分４２０を有さない。変形例の通蒸部は、上方外縁４１１Ａおよび下方外縁４１２Ａに加えて、底部外縁を有する。底部外縁は、上方外縁４１１Ａおよび下方外縁４１２Ａと連続して形成されている。底部外縁は、高さ方向ＨＹに延伸する直線形状を有する。
【０１４１】  ・第２実施形態の通蒸部３００は、第２窪み部分４２０を有する。第２窪み部分４２０は、第１外縁４２１Ａ、第２外縁４２１Ｂ、および底部外縁４２１Ｃを有する。一方、変形例の第２窪み部分は、第１外縁４２１Ａおよび第２外縁４２１Ｂの少なくとも一方が省略されている。
【０１４２】  ・蒸気抜きパウチ１０は、熱溶着によるシール加工が施されたサイドシール部３０およびガゼットシール部６３を有する。一方、変形例の蒸気抜きパウチ１０は、インパルスシール加工、高周波シール加工、および超音波シール加工の少なくとも１つによるシール加工が施されたサイドシール部３０およびガゼットシール部６３を有する。
【０１４３】  ・内容物封入パウチ１は、内容物８０として液体調味料を内部空間１９に収容する。一方、変形例の内容物封入パウチ１は、内容物８０として、医療用器具または哺乳瓶を収容する。
【符号の説明】
【０１４４】  １…内容物封入パウチ、２…内容物封入パウチ、１０…蒸気抜きパウチ、１１…第１頂点、１２…第２頂点、１３…第３頂点、１４…第４頂点、１５…第１側方縁、１６…第２側方縁、１７…上縁、１８…下縁、１９…内部空間、２０…袋本体部、２１…第１袋部分、２２…第２袋部分、２３…第１側方部、２４…第２側方部、２５…上方部、２６…シール予定部、２７…開口部、２８…切断予定部分、２８Ａ…ノッチ、２８Ｂ…ガイド線、３０…サイドシール部、４０…第１サイドシール部、４１…第１上方サイド部、４１Ａ…第１把持可能部、４１Ｂ…第１中間部、４１Ｃ…内縁、４２…第１通蒸部、４２Ａ…左窪み部分、４２Ｂ…内縁、４２Ｃ…第１開口、４３…第１中間サイド部、４３Ａ…内縁、５０…第２サイドシール部、５１…第２上方サイド部、５１Ａ…第２把持可能部、５１Ｂ…第２中間部、５１Ｃ…内縁、５２…第２通蒸部、５２Ａ…右窪み部分、５２Ｂ…内縁、５２Ｃ…第２開口、５２Ａ…内縁、５２Ｂ…第２開口、５３…第２中間サイド部、５３Ａ…内縁、６０…底ガゼット、６１…ガゼット側方部、６２…ガゼット下方部、６３…ガゼットシール部、７０…最大膨張予定部分、８０…内容物、１００…充填機、１１０…チャック、１２０…ノズル、２００…蒸気抜きパウチ、３１０…通蒸部、４００…窪み部分、４１０…第１窪み部分、４１１…上方部分、４１１Ａ…上方外縁、４１２…下方部分、４１２Ａ…下方外縁、４１３…底部、４２０…第２窪み部分、４２１…底部、４２１Ａ…第１外縁、４２１Ｂ…第２外縁、４２１Ｃ…底部外縁、４３０…開口、５００…シール装置。
【図１】
2013133092.tif 000003
【図２】
2013133092.tif 000004
【図３】
2013133092.tif 000005
【図４】
2013133092.tif 000006
【図５】
2013133092.tif 000007
【図６】
2013133092.tif 000008
【図７】
2013133092.tif 000009
【図８】
2013133092.tif 000010
【図９】
2013133092.tif 000011
【国際調査報告】
2013133092.tif 000012
2013133092.tif 000013
2013133092.tif 000014
2013133092.tif 000015